(57)【要約】【課題】一方の挟み腕のケース内部にイオン発生装置、ヒーターユニット、および送風ファンが配置してある髪処理装置において、イオン発生装置の挟み腕に対する組み込みが簡単に行え、その動作テストや回路チェック等もケース外で的確に行えるようにする。【解決手段】揺動開閉できる第１・第２の挟み腕２・３で挟持体１を構成する。第１挟み腕２は、送風用の送風ファン９およびその駆動用モーター１０と、イオン発生装置１１と、これらを収容するケース体８とを含む。第１・第２の両挟み腕２・３の揺動先端寄りの対向面には、髪加熱用のヒーターユニット５・６を設ける。イオン発生装置１１を構成する回路基板６１、トランス６２、複数個の放電体６３を、ホルダー６０に組み付けて、イオン発生装置１１の全体をユニット部品化する。【選択図】　　　　図１
2004141438.tif 000002
【特許請求の範囲】
【請求項１】
グリップ部１Ａと、グリップ部１Ａに隣接する処理部１Ｂとが設けられている挟持体１を有し、
挟持体１は、対向配置した第１・第２の挟み腕２・３どうしを揺動軸４で連結して、両挟み腕２・３が揺動軸４まわりに開閉できるよう構成されており、
第１挟み腕２は、ケース体８と、その内部に配置されるイオン発生装置１１とを含み、
第１・第２の両挟み腕２・３の対向面において、少なくとも第１挟み腕２の揺動先端寄りに髪加熱用のヒーターユニット５が設けられており、
イオン発生装置１１を構成する回路基板６１、トランス６２、複数個の放電体６３が、ホルダー６０に組み付けられてユニット部品化されていることを特徴とする髪処理装置。
【請求項２】
ヒーターユニット５とケース体８との間に、ホルダー６０が配置されており、
ホルダー６０とヒーターユニット５とが、上下に重なる状態でケース体８に固定されている請求項１記載の髪処理装置。
【請求項３】
トランス６２から導出した高圧リード線７８と複数個の放電体６３とが、分岐リード線７９で接続されており、
高圧リード線７８と分岐リード線７９との結線部分Ｃが、ホルダー６０に設けた隔離凹部６９内に装填されて、絶縁体８０で封止されている請求項１または２記載の髪処理装置。
【請求項４】
隔離凹部６９と各放電体６３との間の分岐リード線７９の配線経路に、分岐リード線７９の遊動を規制する規制突起７０が設けられている請求項３記載の髪処理装置。
【請求項５】
隔離凹部６９がホルダー６０の幅方向中心に配置され、偶数個の放電体６３が、ホルダー６０の幅方向中心線を対称軸にして左右対称に配されている請求項３または４記載の髪処理装置。
【請求項６】
ケース８の内部に、送風用の送風ファン９およびその駆動用モーター１０とが配置されており、
ヒーターユニット５の左右外側方に、送風ファン９で送給されたイオンが吹き出るイオン吹出口１８が開口しており、
各イオン吹出口１８に臨ませて放電体６３が配置してある請求項５記載の髪処理装置。
【請求項７】
ヒーターユニット５の内側表面の殆どがホルダー６０で覆われている請求項２記載の髪処理装置。
【請求項８】
ヒーターユニット５とホルダー６０とが、隙間Ｅを介して上下に隣接配置されており、
送風ファン９で送給される加圧空気の一部が、ヒーターユニット５とホルダー６０との隙間Ｅを介して吹出口１８からケース外に排出される請求項３または６記載の髪処理装置。
【請求項９】
ヒーターユニット５・６が、プラスチック製のベース枠３３と、ベース枠３３に装填される発熱体３４と、発熱体３４をベース枠３３と協同して挟持固定する金属板製のカバー枠３５とで構成されており、
発熱体３４は、平板ブロック状の複数個の発熱素子４３と、発熱素子４３を保持する素子ホルダー４４と、発熱素子４３に給電する一対の電極板４５と、カバー枠３５と電極板４５との間に配置される絶縁シート３６とを含み、
カバー枠３５がベース枠３３に固定され、ベース枠３３がケース体８に固定されている請求項１〜８のいずれかに記載の髪処理装置。
【発明の詳細な説明】
【０００１】
【発明の属する技術分野】
本発明は、くせのある毛髪を真直ぐに伸ばし、あるいは直毛を縮れ変形させる際等に使用する、一対の挟み腕を備えた髪処理装置、なかでも片方の挟み腕の内部にマイナスイオン発生装置を組み込んである髪処理装置に関する。
【０００２】
【従来の技術】
一対の挟み腕を備えた髪処理装置において、片方の挟み腕の内部に送風ファンと熱源を収容して、一対の挟み腕間で挟んだ毛髪に加熱空気を供給することは公知である（例えば特許文献１参照）。ケース内部に放電体が配置してあるヘアーセッターもある（特許文献２参照）。
【０００３】
【特許文献１】
実開平３−２７４０１号公報（１頁、第１図）
【特許文献２】
特開平８−８０２１５号公報（段落番号００２０、図６）
【０００４】
【発明が解決しようとする課題】
従来の髪処理装置は、一対の挟み腕で挟み保持した髪に熱を加え、あるいはスチームを当てることにより、髪のくせ伸ばしや、直毛の縮れ変形などの髪処理を行っている。しかし、生きている髪に熱やスチームを当てるので髪が傷みやすい。例えば、髪処理を急ぐあまり髪に過大な熱を加えてしまい、髪の色や組織を変質させてしまうことがある。
【０００５】
髪にスチームを当てる形態の髪処理装置は、髪に湿り気を与えながらくせ伸ばしなどの髪処理を行えるので、髪の処理やセットを手軽に行える。しかし、髪に加熱空気を吹き付ける形態の髪処理装置は、予め髪に湿り気を与え、あるいは髪にセット液を擦り込んでおくなどの準備が必要であるため、一連の作業に多くの手間が掛かる。
【０００６】
本発明の目的は、髪を挟持する挟み腕の内部にイオン発生装置を組み込んでおき、髪処理時にイオン発生装置で生成したマイナスイオンを髪に作用させることにより、髪のくせ伸ばしや、直毛の縮れ処理などの髪処理が効果的に行え、乾燥した髪であっても手軽に、しかも的確に髪処理できる髪処理装置を提供することにある。
【０００７】
本発明の目的は、一方の挟み腕のケース内部にイオン発生装置、ヒーターユニットおよび送風ファンを配置してある髪処理装置において、イオン発生装置の構成部品の全てが１個のユニット部品としてまとめられており、従ってイオン発生装置の挟み腕に対する組み込みが簡単に行え、その動作テストや回路チェック等がケース外で的確に行える髪処理装置を提供することにある。
【０００８】
本発明の目的は、複数個の放電体を備えていて、髪処理の直前と直後とに髪に水分を染込ませて潤いを与えることができる髪処理装置を提供することにある。
【０００９】
【課題を解決するための手段】
本発明の髪処理装置は、図２に示すごとくグリップ部１Ａと、グリップ部１Ａに隣接する処理部１Ｂとが設けられている挟持体１を有する。挟持体１は、対向配置した第１・第２の挟み腕２・３どうしを揺動軸４で連結して、両挟み腕２・３が揺動軸４まわりに開閉できるよう構成されている。　第１挟み腕２は、ケース体８と、その内部に配置されるイオン発生装置１１とを含む。第１・第２の両挟み腕２・３の対向面において、少なくとも第１挟み腕２の揺動先端寄りに髪加熱用のヒーターユニット５を設ける。そのうえで、図１に示すごとくイオン発生装置１１を構成する回路基板６１、トランス６２、複数個の放電体６３が、ホルダー６０に組み付けてユニット部品化されていることを特徴とする。
【００１０】
具体的には、ヒーターユニット５とケース体８との間に、ホルダー６０が配置されており、ホルダー６０とヒーターユニット５とが、上下に重なる状態でケース体８に固定されている。
【００１１】
トランス６２から導出した高圧リード線７８と複数個の放電体６３とは、分岐リード線７９で接続されており、高圧リード線７８と分岐リード線７９との結線部分Ｃが、ホルダー６０に設けた隔離凹部６９内に装填して、絶縁体８０で封止されている。
【００１２】
隔離凹部６９と各放電体６３との間の分岐リード線７９の配線経路には、図７に示すごとく分岐リード線７９の遊動を規制する規制突起７０が設けられている。
【００１３】
隔離凹部６９は、図７および図８に示すごとくホルダー６０の幅方向中心に配置され、偶数個の放電体６３が、ホルダー６０の幅方向中心線を対称軸にして左右対称に配されている。
【００１４】
ケース８の内部に、送風用の送風ファン９およびその駆動用モーター１０を配置する。ヒーターユニット５の左右外側方には、図３に示すごとく送風ファン９で送給されたイオンが吹き出るイオン吹出口１８が開口しており、各イオン吹出口１８に臨ませて放電体６３が配置されている。
【００１５】
ヒーターユニット５の内側表面の殆どがホルダー６０で覆われるように、ホルダー６０が配置されている。
【００１６】
ヒーターユニット５とホルダー６０とは、図１に示すごとく隙間Ｅを介して上下に隣接配置されており、送風ファン９で送給される加圧空気の一部が、ヒーターユニット５とホルダー６０との隙間Ｅを介して吹出口１８からケース外に排出される。
【００１７】
ヒーターユニット５・６は、図５に示すごとくプラスチック製のベース枠３３と、ベース枠３３に装填される発熱体３４と、発熱体３４をベース枠３３と協同して挟持固定する金属板製のカバー枠３５とで構成されており、その発熱体３４は、平板ブロック状の複数個の発熱素子４３と、発熱素子４３を保持する素子ホルダー４４と、発熱素子４３に給電する一対の電極板４５と、カバー枠３５と電極板４５との間に配置される絶縁シート３６とを含み、カバー枠３５がベース枠３３に固定され、ベース枠３３がケース体８に固定されている。
【００１８】
【発明の作用効果】
本発明では、イオン発生装置１１を構成する回路基板６１、トランス６２、複数個の放電体６３の各部品をホルダー６０に組み付けて、イオン発生装置１１の全体をユニット部品化してあるので、その組み立てを広い空間で容易に行え、しかもその動作テストや回路チェック等をケース外で的確に行うことができる。
【００１９】
ユニット化したイオン発生装置１１は上ケース８ａに組み付ければよいので、第１挟み腕２に対するイオン発生装置１１の組み付けの手間を軽減でき、全体として髪処理装置の組立工数が減少し、その分だけ生産コストを削減できる。複数個の放電体６３をホルダー６０と一体に組むので、放電体６３を支持するための部材を別途設ける必要がなく、その分だけ部品点数を減らすことができる。
【００２０】
イオン吹出口１８から吹き出たマイナスイオンは、両挟み腕２・３で挟み保持された髪に付着して、プラスに帯電した髪を中和して髪のぱさつきを防止し、しかもマイナスイオン化された水分を髪に浸透させて髪をしなやかにするので、髪のくせ伸ばしや、直毛の縮れ処理などの髪処理を効果的に行え、乾燥した髪であっても手軽にしかも的確に処理できる。
【００２１】
予め組み立ててユニット化されたヒーターユニット５とイオン発生装置１１のホルダー６０とは、上下に重なる状態でそれぞれケース体８に締結するので、髪処理装置の処理部１Ｂ内に配置される部材の組み立てを最小限の手間で迅速に行うことができる（請求項２）。
【００２２】
トランス６２から導出した高圧リード線７８と、複数個の分岐リード線７９との結線部分Ｃは、ホルダー６０に設けた隔離凹部６９内に装填して絶縁体８０で封止するので、髪処理装置の使用時に結線部分Ｃが動いたり、外力を受けて引っ張られるのを確実に防止し、結線部分Ｃで断線が生じるのを確実に防止できる。さらに、結線部分Ｃの導線を絶縁体８０で覆い隠すので、結線部分Ｃと放電体６３との間の放電を確実に防止でき、従って放電体６３によるマイナスイオンの生成効率が向上する（請求項３）。
【００２３】
隔離凹部６９と各放電体６３との間の分岐リード線７９の配線経路には、分岐リード線７９の遊動を規制する規制突起７０が設けられていると、分岐リード線７９がずれ動くのを規制突起で規制して、結線部分Ｃの外力が作用するのを防止でき、従って、結線部分Ｃにおける断線をさらに確実に防止できる（請求項４）。
【００２４】
隔離凹部６９をホルダー６０の幅方向中心に配置したうえで、偶数個の放電体６３は、ホルダー６０の幅方向中心線を対称軸にして左右対称に配置すると、放電体６３と結線部分Ｃとを結ぶ全ての分岐リード線７９を同じ長さにできるので、ホルダー６０に対する放電体６３の組み付け位置を考慮する必要がなく、放電体６３を間違った場所に組み付ける作業ミスを一掃できる（請求項５）。
【００２５】
ヒーターユニット５の左右外側方に、送風ファン９で送給されたイオンが吹き出るイオン吹出口１８を開口しており、各イオン吹出口１８からマイナスイオンを吹き出すようにした髪処理装置によれば、両ヒーターユニット５・６で挟んだ髪部分より上方および下方の髪部分にマイナスイオンを同時に作用させることができるので、これから処理しようとする髪にマイナスイオンを作用させながら、両挟み腕２・３によってくせ伸ばしや、くせ付け等の髪処理をさらに効果的に行える。髪処理装置を右手で持って使用する場合と、左手で持って使用する場合のいずれでも、髪に対して同等にマイナスイオンを作用させることができ、髪処理装置を使用する方向に制約がない利点もある（請求項６）。
【００２６】
ヒーターユニット５の内側表面の殆どがホルダー６０で覆われていると、ヒーターユニット５から放射される熱をホルダー６０で遮ることができるので、ケース体８の外表面が高温になるのを防止でき、従ってグリップ部１Ａとケース体８の処理部１Ｂを両手で握り締めて、髪処理を確実に行うことができる（請求項７）。
【００２７】
ヒーターユニット５とホルダー６０との間に隙間Ｅを設け、送風ファン９で送給される加圧空気の一部が、隙間Ｅを介して吹出口１８からケース外に排出されるようにした髪処理装置によれば、ヒーターユニット５から放出される熱を加圧空気とともにケース外へ排出できるうえ、空気流によって冷却できるので、回路基板６１に実装された電子部品が過熱するのを確実に阻止し、常に適正な状態で髪処理装置を使用できる（請求項８）。
【００２８】
ベース枠３３、発熱体３４、および金属板製のカバー枠３５でヒーターユニット５・６を構成し、カバー枠３５をベース枠３３に締結したうえで、ベース枠３３をケース体８に締結すると、カバー枠３５をケース体８に直接締結する場合に比べて、熱の伝導経路長さを大きくできるうえ、カバー枠３５で熱を滞留させ放散させて、ケース体８の表面温度が高くなるのを抑止できるので、グリップ部１Ａとケース体８の処理部１Ｂとを両手で握り締めて髪処理を的確に行える（請求項９）。
【００２９】
【実施例】
図１ないし図１１は、本発明をストレータ（髪処理装置）に適用した実施例を示す。図２および図３においてストレータは、グリップ部１Ａと処理部１Ｂとを備えた挟持体１を有する。
【００３０】
挟持体１は、上下に対向配置した第１・第２の挟み腕２・３の基端どうしを揺動軸４で連結してあり、両挟み腕２・３は先端側が揺動軸４まわりに揺動開閉できる。両挟み腕２・３による髪の挟み込み操作を容易にするために、第２挟み腕３は、圧縮コイル形のばね７で開き勝手に揺動付勢されていて、自由状態において図２の想像線で示す開放姿勢に位置保持されている。この開放姿勢にある両挟み腕２・３のグリップ部１Ａを片方の手で握ることによって、両挟み腕２・３の対向面にそれぞれ設けた上下のヒーターユニット５・６で髪を挟むことができる。
【００３１】
第１挟み腕２は、羽子板状のケース体８と、ケース体８の内部に配置した送風ファン９およびその駆動用モーター１０と、イオン発生装置１１と、先のヒーターユニット５などを備えている。第１挟み腕２のグリップ部１Ａの中央部位には、一側外面に左右方向へスライドして電源スイッチをオンオフいずれかに切り換えるスイッチノブ１２と、表示灯１３とが配されている。スイッチノブ１２をオン操作すると、モーター１０および送風ファン９や、後述するＰＣＴヒーター４３、イオン発生装置１１が同時に駆動され、これらの電気機器の駆動状態を表示灯１３で点灯表示できる。
【００３２】
図１および図４において中空のケース体８は、上下に２分割された上ケース８ａと下ケース８ｂとを蓋合わせ状に結合してなる。上ケース８ａは下面側が開口する舟形容器状のプラスチック成形品であり、図２に示すようにそのグリップ部１Ａに相当する部分を細く形成してあるのに対し、処理部１Ｂに相当する部分は左右幅広に形成してある。
【００３３】
下ケース８ｂは上ケース８ａと同じ外郭線形状の浅皿状に形成されたプラスチック成形品であり、図３に示すようにそのグリップ部１Ｂ側の底壁の揺動軸４寄りに送風ファン９の送風効率を上げるための吸風口１５が開口しており、処理部１Ｂ側の底壁にヒーターユニット５を装着するための開口１６を有する。上記のように第２挟み腕３と対向する下ケース８ｂの下面に吸風口１５が開口していると、グリップ部１Ａを手で握り締めた状態において、吸風口１５の外面が使用者の手で塞がれてしまうのを確実に防止できる。
【００３４】
前記開口１６の左右両側には、送風ファン９で送給される加圧空気の吹出口１７の一群と、イオン吹出口１８とがそれぞれ開口している。加圧空気の吹出口１７は、開口１６の長辺部に沿って断続的に開口しており、イオン吹出口１８は吹出口１７の前後中央部位において左右に形成してある。下ケース８ｂの基端部には、第２挟み腕３の連結部を受け入れるソケット壁１９が膨出形成され、ソケット壁１９の前半部に装填口２０が開口している。
【００３５】
ヒーターユニット５に臨む下ケース８ｂの左右両側には、一群の整髪用の櫛歯２２と整髪リブ２３とが、互いの隙間に臨む千鳥状態で直線列状に突設してある。櫛歯２２および整髪リブ２３は、両ヒーターユニット５・６を通過する前の髪を梳いて、絡んだ髪を整然と梳き通すために設けてある。櫛歯２２と整髪リブ２３とを千鳥状態で直線列状に突設すると、髪に過度のテンションがかかる傾向があるが、図１０に示すように、整髪リブ２３の全て（あるいは１つおきの整髪リブ２３でもよい）を櫛歯２２よりも短く突設すると、過度にテンションが係るのを防止できる。
【００３６】
上ケース８ａと下ケース８ｂとを蓋合わせ状に接合した状態における処理部１Ｂ側の上下厚み寸法は、グリップ部１Ａ側の上下厚み寸法に比べて大きく設定する。具体的には、処理部１Ｂ側において下ケース８ｂを下方へ膨出形成して、上ケース８ａと下ケース８ｂとの上下対向間隔をグリップ部１Ａ側より大きく設定する。このように処理部１Ｂ側の上下寸法を大きく採ると、ゆとりを持って送風ファン９、モーター１０、およびイオン発生装置１１を収容でき、第１挟み腕２の上面壁を平坦化してストレータの外観上の印象がすっきりしたものとなる。
【００３７】
上記のように処理部１Ｂ側の上下寸法が大きく設定されていると、送風ファン９のファン直径を大きくでき、その駆動回転数を大きく設定する必要もなく、より大量の加圧空気を送給できるうえ、駆動回転数が低い分だけファン騒音も低減化できる。本実施例では、より大形で大容量の送風ファン９を使用するために、図１に示すように下ケース８ｂの底壁に膨出部２６を形成し、その内部に送風ファン９を配置した。その詳細は後述する。この膨出部２６は、両挟持腕２・３の間に挟んだ髪が吸風口１５の側へずれ動こうとするのを防いで、吸風口１５から吸込まれるのを防ぐことにも役立つ。因みに、吸風口１５が上ケース８ａ側にあったとしても、一対の加熱ブロック５・６で挟んだ髪が膨出部２６によって不必要に広がるのを解消できることには変りはなく、このような構造であっても、整髪時において膨出部２６は有効に機能する。
【００３８】
第２挟み腕３は、第１挟み腕２と同じ外郭線形状に形成した羽子板状のケース体２９と、ケース体２９の上面に固定されるヒーターユニット６とで構成する。ケース体２９は、図１に示すごとく上面が開口する浅い皿状の下ケース２９ｂと、下ケース２９ｂの開口上面を塞ぐ上ケース２９ａとで結合してなり、上下ケース２９ａ・２９ｂはそれぞれプラスチック成形品である。上ケース２９ａおよび下ケース２９ｂの処理部１Ｂに相当する部分は、第１挟み腕２の下ケース８ｂの下面形状に沿って下面側へ膨出形成されている。上ケース２９ａの上面には、ヒーターユニット６用の開口３０が形成されており、この開口３０に隣接して前記膨出部２６を受け入れる凹部３１が凹み形成されている。
【００３９】
ヒーターユニット６からの輻射熱によって、下ケース２９ｂの表面温度が高温になるのを防ぐために、下ケース２９ｂの内面にアルミニウム箔からなる反射層３２を設けている。このように反射層３２を設けると、反射層３２がない場合に比べて、下ケース２９ｂの表面温度を２０℃低下できた。反射層３２はアルミニウム以外の金属箔で形成でき、必要があればヒーターユニット６と下ケース２９ｂとの間の空間に、ロックウール、グラスウール、石綿などの繊維質の断熱材を充填して、ケース表面の温度上昇を防止することができる。
【００４０】
図５においてヒーターユニット５・６は、上向きに開口する前後に長い角箱状のベース枠３３と、ベース枠３３に装填される発熱体３４と、ベース枠３３に締結固定されて、発熱体３４をベース枠３３と協同して挟持固定する金属板製のカバー枠３５と、発熱体３４とカバー枠３５との間に配置されるシリコン材からなる絶縁シート３６と、板ばね３７とを含む。
【００４１】
ベース枠３３は絶縁性に優れたプラスチック成形品であり、前後の短辺部の下部に締結用のフランジ３９を張り出し形成してあり、左右の長辺部の中途部には前後にカバー枠３５を係合装着するための受枠４０が一体に形成されている。前後の各フランジ３９には３個のビス孔が設けてある。ベース枠３３の底壁内面の中央部には、先の板ばね３７を止め付けるための突起４１が前後２箇所に突設されている。
【００４２】
発熱体３４は、平板ブロック状の前後一対のＰＴＣヒーター（発熱素子）４３・４３と、これらのＰＴＣヒーター４３を遊動不能に固定保持する素子ホルダー４４と、ＰＴＣヒーター４３の上下面に密着する給電用の一対の電極板４５と、絶縁シート３６とで構成されている。素子ホルダー４４はプラスチック成形品であり、その板面にＰＴＣヒーター４３を嵌め込み装着するための装填部４６が、上下貫通状に形成してある。カバー枠３５は、下向きに開口する前後に長いアルミニウム製の角箱体からなり、前後の短辺部に締結座４７が一体に突設され、左右の長辺部には前後に先の受枠４０と係合する４個の爪４８が一体に設けられている。
【００４３】
ベース枠３３に板ばね３７を装填して突起４１に係合し、ついで下側の電極板４５と、ＰＴＣヒーター４３を装填した素子ホルダー４４と、上側の電極板４５と、絶縁シート３６とを順にベース枠３３に上方から装填した状態で、カバー枠３５をベース枠３３に被せ付ける。そのうえで、カバー枠３５を板ばね３７の弾性に逆らいながら押し付け、両側面に設けた４個の爪４８を受枠４０に圧嵌係合して、両枠３３・３５を一体化する（図６参照）。さらに、締結座４７に挿通した３個のビス４９を、ベース枠３３のフランジ３９にねじ込んで、ヒーターユニット５（または６）の全構成部品を一つにユニット化する。カバー体３５は、その平坦面で毛髪を挟み、発熱素子４３から伝導される熱によって毛髪を加熱する。なお、上下のヒーターユニット５・６は、同じ構造であり、各挟み腕２・３の開口１６・３０に対して上下に反転した状態で装着して使用される。
【００４４】
図７において送風ファン９は、モーター１０の出力軸に固定されて一体化されている。モーター１０は、第１挟持腕２の上ケース８ａに締結固定されるモーターホルダー５１で支持する。モーターホルダー５１は、送風ファン９を収容する風洞部５２と、モーター１０が嵌め込み装填されるホルダー基部５３とを一体に備えており、ホルダー基部５３の後端を上ケース８ａの内面に設けた爪で受け止め、さらに風洞部５２の外面両側に設けたビス座５４を上ケース８ａのボスにビス止めすることにより、上ケース８ａと一体化されている。
【００４５】
上記のように送風ファン９、モーター１０、およびモーターホルダー５１を上ケース８ａに固定し、下ケース８ｂを上ケース８ａに固定した状態においては、図１に示すように風洞部５２の周面下部が膨出部２６で受け止められており、膨出部２６の凹み寸法分だけ上下ケース８ａ・８ｂの対向間隔寸法を大きくできる。従って、膨出部２６の内部に送風ファン９を配置すると、直径寸法が大きな送風ファン９を使用できることになり、ファンの駆動回転数が小さくても、より大量の加圧空気を送給できるうえ、駆動回転数が低い分だけファン騒音の低減化に貢献する。
【００４６】
イオン発生装置１１の第１挟み腕２に対する組み込みを簡単に行えるようにするために、イオン発生装置１１の構成部品の全ては１個のユニット部品としてまとめられている。図８ないし図１０において、イオン発生装置１１は、プラスチック成形品からなるホルダー６０と、それぞれホルダー６０に組み付けられる回路基板６１、トランス６２、および左右一対の放電体６３とを含む。
【００４７】
ホルダー６０は、回路基板６１を収容する第１区画６５と、トランス６２を収容する第２区画６６と、両区画６５・６６間の中間部６７とを一体に成形したプラスチック成形品であり、中間部６７の左右両側に放電体６３を装着するための電極ホルダー６８が一体に成形されている。中間部６７の上面には、隔離凹部６９を凹み形成し、その左右に規制突起７０を突設してある。第１・第２の両区画６５・６６の前後周面には、ホルダー６０を第１挟み腕２の上ケース８ａに固定するために、合計３個の締結座７１が前後に張り出し形成されている。
【００４８】
図１１において回路基板６１には、商用電源（１００Ｖ）を半波整流する整流回路と、半波整流をパルス電圧・電流に変換するパルス発生回路とを構成する電子部品が実装されており、パルス電圧・電流をトランス６２で４ｋＶに昇圧したのち放電体６３に供給する。放電体６３は、電極ホルダー６８のボス中心に固定される針状の中心電極７３と、ボスの外周面に固定される円筒状の周囲電極７４と、ボスの内周面に固定される絶縁筒７５とを含む。
【００４９】
中心電極７３と周囲電極７４との間の放電作用によって、両電極７３・７４の周辺の空気中に浮遊する酸素分子がマイナスイオン化され、空気流とともにイオン吹出口１８から放出される。イオン吹出口１７と、イオン吹出口１７に隣接する吹出口１６とはケース内部で連通しているので、マイナスイオンの一部は吹出口１６からも吹き出される。水分を含むマイナスイオンは、プラスに帯電した髪を中和して髪のぱさつきを防止し、さらに毛髪の内部深くまで浸透して水分を補給する。従って、ヒーターユニット５・６で加熱される前の髪の水分率を高めて、髪のくせ伸ばしを効果的に発揮する。加熱後の髪の水分率を高めることにもなる。
【００５０】
図９および図１０にはトランス６２と放電体６３の結線構造を示す。トランス６２から導出した高圧リード線７８は、一端が中心電極７３に接続した左右の分岐リード線７９と接続する。詳しくは、高圧リード線７８の出力端と左右の分岐リード線７９の入力端との導線部分を同時に撚り合わせたうえではんだ付けする。そのうえで、図１０に示すようにはんだ付けされた結線部分Ｃを先の隔離凹部６９内に差し込み、その周囲空間に絶縁体８０を充填して、結線部分Ｃを絶縁する。
【００５１】
絶縁体８０としては、シリコン接着剤などの、空気中に含まれる湿気で硬化反応が始まる封止材を適用できるが、隔離凹部６９に嵌め込み装着できるゴムキャップや、結線部分Ｃに溶融樹脂を付着し固化させて形成してもよい。このように、結線部分Ｃを隔離凹部６９内において絶縁し他から遮へいすると、結線部分Ｃの遊動を規制して断線を阻止できるうえ、導線が剥き出しになるのを防いで、結線部分Ｃと周囲電極７４等の金属露出部分との間での放電を確実に防止し、放電体６３によるマイナスイオンの発生を効果的に図ることができる。
【００５２】
図９に示すように、上記の結線部分Ｃから左右に分かれた分岐リード線７９は、ホルダー６０に設けた第１区画６５の後壁に沿って配線するが、この配線経路に臨んで規制突起７０を設けることにより、先の後壁と規制突起７０とで分岐リード線７９を遊動不能に固定保持して、分岐リード線７９の断線防止を図り、放電体６３による放電作用を安定化している。
【００５３】
隔離凹部６９は、ホルダー６０の左右幅方向の中心に位置しており、左右の放電体６３は、ホルダー６０の幅方向中心線を対称軸にして左右対称に位置するよう配置してある。このように左右の放電体６３が左右対称に配置されていると、左右の分岐リード線７９の長さを同じに設定できるので、放電体６３を電極ホルダー６８に組み付ける際に、各放電体６３は左右の電極ホルダー６８のいずれにでも組むことができ、組み立て間違いを生じる余地がない。
【００５４】
ヒーターユニット５の左右両側に設けた一対のイオン吹出口１８からマイナスイオン化された酸素分子や水分子が吹き出るので、ヒーターユニット５・６を通過する直前の髪と、通過した後の髪の水分率とを高めることができる。つまり、前処理しない状態のままで髪処理を行う場合であっても、くせ付け直前に髪をしなやかで潤いのある状態にして効果的にくせ付けが行え、くせ付け直後の乾燥した髪に水分を染込ませて潤いのある状態に戻すことができる。
【００５５】
両ヒーターユニット５・６で挟んだ髪部分より上方および下方の髪部分に同時にマイナスイオンを作用させることができるので、ストレータを右手で持って使用する場合と、左手で持って使用する場合のいずれでも、髪に対して同等にマイナスイオンを作用させることができ、髪処理装置を使用する方向に制約が無いものとなっている。
【００５６】
ユニット部品化されたイオン発生装置１１は、ヒーターユニット５と上ケース８ａとの間のスペースに収容されて、上ケース８ａに締結固定される。詳しくは、図１および図７に示すように、ホルダー６０の前後に設けた締結座７１を、上ケース８ａの内面に突設したボスにビス止めする。次に、ヒーターユニット５の前後のフランジ３９を、上ケース８ａに一体成形されたボス５６にあてがい、フランジ３９に挿通したビス５７をボス５６にねじ込むことにより、ヒーターユニット５を上ケース８ａに固定する。
【００５７】
上記の固定状態において、カバー枠３５を固定するビス４９とは異なるビス５７で、ベース枠３３のフランジ３９をボス５６に固定するので、金属製のカバー枠３５の熱が上ケース８ａに伝わるのを効果的に抑止できる。その結果、上ケース８ａの表面温度が高くなるのを阻止でき、片手でグリップ部１Ａを握り、他方の手で処理部１Ｂを握って髪を挟み保持する作業を支障なく行えることになる。
【００５８】
また、イオン発生装置１１とヒーターユニット５とは、上面側から見てそれぞれの外郭線の殆どが重なり合っており、両者５・１１の間には僅かな隙間Ｅが形成されている。そのため、送風ファン９から送給された空気流の一部は、先の隙間Ｅを通り抜けるように移動した後、左右の吹出口１７からケース外へ吹き出る。つまり、ヒーターユニット５から放出の対流熱が、隙間Ｅに滞留するのを防止して、回路基板６１に実装された電子部品が過熱するのを阻止する。ヒーターユニット５から放出される輻射熱は、イオン発生装置１１によって遮られるので、上ケース８ａの表面が高温になるのを防止できる。吹出口１７から吹き出される空気流の温度は、ヒーターユニット５・６で加熱された髪の温度より低い。従って、ヒーターユニット５・６でくせ付けされた髪は、吹出口１７から吹き出される空気流によって急速に冷却されることとなり、その分だけくせ付け効果を向上できる。
【００５９】
イオン発生装置１１を構成する全ての部品は、予めホルダー６０に組み込んでユニット化される。従って、イオン発生装置１１を上ケース８ａに組み込む前に、その動作テストや回路チェック等をケース外で的確に行えることになり、チェック済みの完動品のみを上ケース８ａに組める。
【００６０】
上記の実施例では、髪のくせを伸ばすストレータについて説明したが、本発明の髪処理装置は、真直ぐの髪を縮れ変形処理するワッフルとして構成してあってもよい。その場合には、ヒーターユニット５・６の対向面のそれぞれに断面波型の凹凸を形成しておく。発熱素子４３はＰＴＣヒーター、コイルヒーターのような電気式に限らずガス式や鉄の酸化反応を利用した発熱方式のものであってもよい。左右の櫛歯２２の間に、イオン吹出口１８とは別の吹出口１７が開口する形態を採用できる。イオン吹出口１８は左右に長い１個のスロットや、断続する短いスロット、あるいは穴の列で形成してもよい。
【００６１】
ヒーターユニット５・６は、第１・第２の両挟み腕２・３に設けてあることが好ましいが、少なくともイオン発生装置１１を備えた第１挟み腕２の側に設けてあればよい。放電体６３は３個以上設けることができる。上記の実施例においては、第１挟み腕２と第２挟み腕３とをばね７で開き勝手に揺動付勢したが、その必要はなく、閉じ勝手に揺動付勢することができる。
【００６２】
また、ケース８の内部を強制冷却することに加えて、第２挟み腕３の内部を強制冷却することができる。その場合には、両ケース８・２９を両者の連結部分で通気可能に連通し、ケース２９の揺動先端に吸風口１５を開口して、送風ファン９によって吸気される吸入空気を、ケース２９先端の吸風口１５からケース２９内を通過させ、両ケース８・２９の連結部分を経由してケース８内に流入させるようにする。その後、吸入空気は送風ファン９によって、イオンとともに吹出口１７やイオン吹出口１８から吹き出る。このような循環路を形成することによって、両ケース８・２９内に滞留する熱を強制的に排出することができる。
【００６３】
マイナスイオンを髪に対して確実に作用させるうえで、髪処理装置は送風ファン９を備えていることが好ましいが、イオン発生装置１１で生成したマイナスイオンは、イオン風や自然対流作用によって髪に作用させることができ、そうしたイオン送給形態を採る場合には、送風ファン９やモーター１０を省略することができる。
【図面の簡単な説明】
【図１】要部の縦断側面図
【図２】全体の側面図
【図３】第１挟み腕の底面図
【図４】第１挟み腕の構成部材を分解した底面図
【図５】ヒーターユニットの構成部材を分解した斜視図
【図６】ヒーターユニットの断面図
【図７】第１挟み腕の内部の平面図
【図８】イオン発生装置の分解斜視図
【図９】イオン発生装置の平面図
【図１０】図２におけるＡ−Ａ線断面図
【図１１】髪処理装置の電気回路の概略を示すブロック図
【符号の説明】
１　挟持体
１Ａ　グリップ部
１Ｂ　処理部
２　第１挟み腕
３　第２挟み腕
４　揺動軸
５　ヒーターユニット
６　ヒーターユニット
８　ケース体
９　送風ファン
１０　モーター
１１　イオン発生装置
１７　加圧空気の吹出口
１８　イオン吹出口
３３　ベース枠
３４　発熱体
３５　カバー枠
３６　絶縁シート
４３　発熱素子
４４　素子ホルダー
４５　電極板
６０　ホルダー
６１　回路基板
６２　トランス
６３　放電体
６９　隔離凹部
７０　規制突起
７８　高圧リード線
７９　分岐リード線
８０　絶縁体
【図１】
2004141438.tif 000003
【図２】
2004141438.tif 000004
【図３】
2004141438.tif 000005
【図４】
2004141438.tif 000006
【図５】
2004141438.tif 000007
【図６】
2004141438.tif 000008
【図７】
2004141438.tif 000009
【図８】
2004141438.tif 000010
【図９】
2004141438.tif 000011
【図１０】
2004141438.tif 000012
【図１１】
2004141438.tif 000013